【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
長手方向に複数の遊技機が配列された遊技島に設けられ、タンクに貯留された遊技球が遊技島の長手方向に傾斜して配設された傾斜樋を通じて流入し、その流入した遊技球を各遊技機に供給する遊技球供給装置において、
前記遊技島の長手方向に間隔を空けて配置され、前記遊技島の短手方向に延びる回転軸を有する二つのローラと、
前記二つのローラに掛け回された無端状の搬送ベルトと、
前記ローラの一方を回転駆動し、前記搬送ベルトを周回させる駆動源と、
前記搬送ベルトの下方に間隔を空けて設けられた平板部を有し、前記傾斜樋を通じて入口部から流入した遊技球が前記平板部と前記搬送ベルトの下位部との間を遊嵌状態で移動する補給樋と、
前記搬送ベルトに設けられ、当該搬送ベルトが周回するのに伴って遊嵌状態の遊技球に速度を付与する速度付与手段と、
前記補給樋の長手方向に沿って設けられ、前記補給樋を移動する遊技球を各遊技機へと導く複数の補給シュートと、
前記搬送ベルトの下流側円弧部の外周に沿って間隔を空けて設けられた湾曲部を有し、前記補給樋から流入した遊技球が前記下流側円弧部の移動によって前記湾曲部内周上を移動する端部樋と、
前記搬送ベルトの上位部を支持する支持部を有し、前記端部樋から流入した遊技球が前記上位部の移動によって移動する上部樋と、を備え、
前記補給樋から前記端部樋を通じて前記上部樋へと導かれた遊技球は、前記上位部の移動によって前記補給樋の前記入口部へと導かれ、
前記搬送ベルトは、短手方向に所定の傾斜角度で傾斜して配設され、
前記補給樋及び前記上部樋は、前記搬送ベルトと同一の傾斜角度で傾斜して配設され、
前記補給シュートは、前記補給樋の低所側に設けられ、
前記上部樋の下流端部の低所側には、前記上部樋の低所側に寄った遊技球を高所側へ誘導して前記補給樋の前記入口部へと導くための誘導板が設けられることを特徴とする遊技球供給装置。
【請求項２】
前記上部樋の下流端部の低所側には、前記上位部の移動によって移動する異物を受け入れ可能な受入部材が設けられ、
前記誘導板は、前記上位部との間に遊技球が通過不能な隙間を空けて設けられ、
前記受入部材は、前記上位部と前記誘導板との前記隙間を通過する異物を受け入れることを特徴とする請求項１に記載の遊技球供給装置。
【請求項３】
前記受入部材は、
前記搬送ベルトの上流側円弧部に対峙して配設され、異物を収容する収容部と、
フック部を介して前記誘導板に係止され、前記収容部を支持する支持部と、を備え、
前記誘導板に対して取り外し可能であることを特徴とする請求項２に記載の遊技球供給装置。
【請求項４】
前記遊技島には、遊技機が短手方向に背向状態で配列され、
前記補給シュートは、
前記平板部上を移動する遊技球を、前記補給樋の低所側に位置する遊技機に供給する第一補給シュートと、
前記平板部上を移動する遊技球を、前記補給樋の高所側に位置する遊技機に供給する第二補給シュートと、
を備えることを特徴とする請求項１から請求項３のいずれか一つに記載の遊技球供給装置。
【請求項５】
前記上部樋の長手方向に沿って設けられ、前記上部樋を移動する遊技球を前記補給シュートへと導く補助シュートを備えることを特徴とする請求項１から請求項４のいずれか一つに記載の遊技球供給装置。
【請求項６】
前記補給シュートには、遊技球を上下１段に均す均し部材が設けられ、
前記補給シュートにおける前記補給樋から流入した遊技球と前記補助シュートから流入した遊技球との合流部は、前記均し部材の上流側に設けられることを特徴とする請求項５に記載の遊技球供給装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、入口部での遊技球の滞留を抑制することができる遊技球供給装置を提供することを目的とする。
【手続補正４】
【補正対象書類名】明細書
【補正対象項目名】０００６
【補正方法】変更
【補正の内容】
【０００６】
第１の発明は、長手方向に複数の遊技機が配列された遊技島に設けられ、タンクに貯留された遊技球が遊技島の長手方向に傾斜して配設された傾斜樋を通じて流入し、その流入した遊技球を各遊技機に供給する遊技球供給装置において、前記遊技島の長手方向に間隔を空けて配置され、前記遊技島の短手方向に延びる回転軸を有する二つのローラと、前記二つのローラに掛け回された無端状の搬送ベルトと、前記ローラの一方を回転駆動し、前記搬送ベルトを周回させる駆動源と、前記搬送ベルトの下方に間隔を空けて設けられた平板部を有し、前記傾斜樋を通じて入口部から流入した遊技球が前記平板部と前記搬送ベルトの下位部との間を遊嵌状態で移動する補給樋と、
前記搬送ベルトに設けられ、当該搬送ベルトが周回するのに伴って遊嵌状態の遊技球に速度を付与する速度付与手段と、前記補給樋の長手方向に沿って設けられ、前記補給樋を移動する遊技球を各遊技機へと導く複数の補給シュートと、前記搬送ベルトの下流側円弧部の外周に沿って間隔を空けて設けられた湾曲部を有し、前記補給樋から流入した遊技球が前記下流側円弧部の移動によって前記湾曲部内周上を移動する端部樋と、前記搬送ベルトの上位部を支持する支持部を有し、前記端部樋から流入した遊技球が前記上位部の移動によって移動する上部樋と、を備え、前記補給樋から前記端部樋を通じて前記上部樋へと導かれた遊技球は、前記上位部の移動によって前記補給樋の前記入口部へと導かれ、前記搬送ベルトは、短手方向に所定の傾斜角度で傾斜して配設され、前記補給樋及び前記上部樋は、前記搬送ベルトと同一の傾斜角度で傾斜して配設され、前記補給シュートは、前記補給樋の低所側に設けられ、前記上部樋の下流端部の低所側には、前記上部樋の低所側に寄った遊技球を高所側へ誘導して前記補給樋の前記入口部へと導くための誘導板が設けられることを特徴とする。
【手続補正５】
【補正対象書類名】明細書
【補正対象項目名】０００７
【補正方法】変更
【補正の内容】
【０００７】
第２の発明は、前記上部樋の下流端部の低所側には、前記上位部の移動によって移動する異物を受け入れ可能な受入部材が設けられ、前記誘導板は、前記上位部との間に遊技球が通過不能な隙間を空けて設けられ、前記受入部材は、前記上位部と前記誘導板との前記隙間を通過する異物を受け入れることを特徴とする。
【手続補正６】
【補正対象書類名】明細書
【補正対象項目名】０００８
【補正方法】変更
【補正の内容】
【０００８】
第３の発明は、前記受入部材は、前記搬送ベルトの上流側円弧部に対峙して配設され、異物を収容する収容部と、フック部を介して前記誘導板に係止され、前記収容部を支持する支持部と、を備え、前記誘導板に対して取り外し可能であることを特徴とする。
【手続補正７】
【補正対象書類名】明細書
【補正対象項目名】０００９
【補正方法】変更
【補正の内容】
【０００９】
第４の発明は、前記遊技島には、遊技機が短手方向に背向状態で配列され、前記補給シュートは、前記平板部上を移動する遊技球を、前記補給樋の低所側に位置する遊技機に供給する第一補給シュートと、前記平板部上を移動する遊技球を、前記補給樋の高所側に位置する遊技機に供給する第二補給シュートと、を備えることを特徴とする。
【手続補正８】
【補正対象書類名】明細書
【補正対象項目名】００１０
【補正方法】変更
【補正の内容】
【００１０】
第５の発明は、前記上部樋の長手方向に沿って設けられ、前記上部樋を移動する遊技球を前記補給シュートへと導く補助シュートを備えることを特徴とする。
【手続補正９】
【補正対象書類名】明細書
【補正対象項目名】００１１
【補正方法】変更
【補正の内容】
【００１１】
第６の発明は、前記補給シュートには、遊技球を上下１段に均す均し部材が設けられ、前記補給シュートにおける前記補給樋から流入した遊技球と前記補助シュートから流入した遊技球との合流部は、前記均し部材の上流側に設けられることを特徴とする。
【手続補正１０】
【補正対象書類名】明細書
【補正対象項目名】００１２
【補正方法】変更
【補正の内容】
【００１２】
第１の発明によれば、補給樋を遊嵌状態で移動する遊技球は、傾斜して配設された補給樋の低所側へと自重によって導かれ補給シュートへと導かれる。補給樋の補給シュートに導かれなかった遊技球は、端部樋を通じて上部樋へと導かれ、上位部の移動によって補給樋の入口部へと導かれる。このように、補給樋から遊技機に供給されなかった遊技球は、再び補給樋の入口部へと導かれ、遊技球供給装置を再度循環するため、補給樋の入口部では、傾斜樋を転動し補給樋へ流入する遊技球と上部樋から補給樋へ流入する遊技球とが合流する。上部樋の下流端部の低所側には、遊技球を高所側へ誘導して補給樋の入口部へと導く誘導板が設けられる。したがって、補給樋の入口部での遊技球の滞留を抑制することができる。
また、第２の発明によれば、誘導板は、搬送ベルトの上位部との間に遊技球が通過不能な隙間を空けて設けられ、その隙間を通過する異物は受入部材に受け入れられる。したがって、遊技球供給装置に侵入した異物を除去することができ、異物の侵入による遊技球供給装置の故障を防止することができる。
【手続補正１１】
【補正対象書類名】明細書
【補正対象項目名】００１３
【補正方法】変更
【補正の内容】
【００１３】
第３の発明によれば、収容部が異物で満たされた場合には、受入部材を誘導板から取り外して収容部から異物を取り除くことができる。このように、受入部材は、取り外し可能であるため、清掃を非常に簡単に行うことができる。
【手続補正１２】
【補正対象書類名】明細書
【補正対象項目名】００１４
【補正方法】変更
【補正の内容】
【００１４】
第４の発明によれば、補給シュートは補給樋の低所側に設けられ、補給樋を移動する遊技球は、低所側から短手方向へと分配され、背向状態で配置された遊技機へと供給される。したがって、背向状態で配置された遊技機に対して均等に遊技球を分配することができる。
第５の発明によれば、上部樋を移動する遊技球は、補助シュートを通じて遊技機へと供給されるため、遊技機に対して安定して遊技球を供給することができる。
【手続補正１３】
【補正対象書類名】明細書
【補正対象項目名】００１５
【補正方法】変更
【補正の内容】
【００１５】
第６の発明によれば、補給シュートにおける遊技球の合流部は、均し部材の上流側に設けられるため、補給シュートの出口部における遊技球の球詰まりが防止される。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】